【手続補正書】
【提出日】平成19年5月14日(2007.5.14)
【手続補正１】
【補正対象書類名】明細書
【補正対象項目名】発明の名称
【補正方法】変更
【補正の内容】
【発明の名称】ディスク装置および調整制御装置
【手続補正２】
【補正対象書類名】明細書
【補正対象項目名】特許請求の範囲
【補正方法】変更
【補正の内容】
【特許請求の範囲】
【請求項１】  ディスクの再生特性、または記録特性を調整する複数の調整手段と、
前記調整手段が設置される装置の動作状態を検出する検出手段と、
前記検出手段の検出結果に基づいて、前記調整手段の少なくとも一部を選択し調整を行わせる調整制御手段とを備えることを特徴とするディスク装置。
【請求項２】  前記複数の調整手段は、フォーカシングエラー検出手段、フォーカシング制御手段、トラッキングエラー検出手段、トラッキング制御手段、ディスクに記録されているデータまたはディスクに記録されるデータを処理するデータ処理手段の少なくとも２つを含むことを特徴とする請求項１記載のディスク装置。
【請求項３】  前記検出手段は、ディスクの交換、前記装置内の温度、前記特性の調整後のディスクの再生または記録への移行状態、前記装置の電源変化、前記ディスクの再生または記録の記録層の変化の少なくとも１つを検出することを特徴とする請求項１または２記載のディスク装置。
【請求項４】  ディスクの再生特性、または記録特性を調整する複数の調整手段に特性調整指示を出力する調整制御装置であって、
前記調整手段が設置される装置の動作状態に基づいて、前記調整手段の少なくとも一部を選択し、選択された調整手段に対して前記特性調整指示を出力することを特徴とする調整制御装置。
【手続補正３】
【補正対象書類名】明細書
【補正対象項目名】０００１
【補正方法】変更
【補正の内容】
【０００１】
【発明の属する技術分野】
本発明は、光ディスクおよび光磁気ディスクの再生または記録のいずれか少なくとも一方を行うためのディスク装置および調整制御装置に関する。
【手続補正４】
【補正対象書類名】明細書
【補正対象項目名】０００３
【補正方法】変更
【補正の内容】
【０００３】
【発明が解決しようとする課題】
本発明の目的は、ディスクの再生または記録を行うに先立ち、自動調整動作を迅速に短時間で行うことができるようにしたディスク装置および調整制御装置を提供することである。
【手続補正５】
【補正対象書類名】明細書
【補正対象項目名】０００４
【補正方法】削除
【補正の内容】
【手続補正６】
【補正対象書類名】明細書
【補正対象項目名】０００５
【補正方法】変更
【補正の内容】
【０００５】
【課題を解決するための手段】
本発明は、ディスクの再生特性、または記録特性を調整する複数の調整手段と、
前記調整手段が設置される装置の動作状態を検出する検出手段と、
前記検出手段の検出結果に基づいて、前記調整手段の少なくとも一部を選択し調整を行わせる調整制御手段とを備えることを特徴とするディスク装置である。
【手続補正７】
【補正対象書類名】明細書
【補正対象項目名】０００６
【補正方法】変更
【補正の内容】
【０００６】
本発明に従えば、ＣＤ，ＤＶＤなどのようなディスクの再生特性または記録特性を調整する複数の調整手段が備えられる。
【手続補正８】
【補正対象書類名】明細書
【補正対象項目名】０００７
【補正方法】変更
【補正の内容】
【０００７】
検出手段は、複数の調整手段が設置される装置の動作状態を検出する。調整制御手段は、検出手段の検出結果に基づいて、複数の調整手段の少なくとも一部を選択し、選択した部分に、ディスクの再生特性または記録特性を調整させる。こうして調整すべき調整手段を選択するようにしたので、ディスクの再生または記録に先立って調整する時間を短縮することができる。
【手続補正９】
【補正対象書類名】明細書
【補正対象項目名】０００８
【補正方法】変更
【補正の内容】
【０００８】
また本発明は、前記複数の調整手段は、フォーカシングエラー検出手段、フォーカシング制御手段、トラッキングエラー検出手段、トラッキング制御手段、ディスクに記録されているデータまたはディスクに記録されるデータを処理するデータ処理手段の少なくとも２つを含むことを特徴とする。
【手続補正１０】
【補正対象書類名】明細書
【補正対象項目名】０００９
【補正方法】変更
【補正の内容】
【０００９】
本発明に従えば、複数の調整手段は、フォーカシングエラー検出手段、フォーカシング制御手段、トラッキングエラー検出手段、トラッキング制御手段、ディスクに記録されているデータまたはディスクに記録されるデータを処理するデータ処理手段の少なくとも２つを含む。調整制御手段は、複数の調整手段に含まれるフォーカシングエラー検出手段、フォーカシング制御手段、トラッキングエラー検出手段、トラッキング制御手段、データ処理手段の少なくとも一部を選択し、選択した部分に、ディスクの再生特性または記録特性を調整させる。こうして調整すべき調整手段を選択するようにしたので、ディスクの再生または記録に先立って調整する時間を短縮することができる。
【手続補正１１】
【補正対象書類名】明細書
【補正対象項目名】００１０
【補正方法】削除
【補正の内容】
【手続補正１２】
【補正対象書類名】明細書
【補正対象項目名】００１１
【補正方法】削除
【補正の内容】
【手続補正１３】
【補正対象書類名】明細書
【補正対象項目名】００１２
【補正方法】削除
【補正の内容】
【手続補正１４】
【補正対象書類名】明細書
【補正対象項目名】００１３
【補正方法】変更
【補正の内容】
【００１３】
また本発明は、前記検出手段は、ディスクの交換、前記装置内の温度、前記特性の調整後のディスクの再生または記録への移行状態、前記装置の電源変化、前記ディスクの再生または記録の記録層の変化の少なくとも１つを検出することを特徴とする。
【手続補正１５】
【補正対象書類名】明細書
【補正対象項目名】００１４
【補正方法】変更
【補正の内容】
【００１４】
本発明に従えば、検出手段は、ディスクの交換、調整手段が設置される装置内の温度、ディスクの再生特性または記録特性の調整後にディスクの再生または記録への移行状態、調整手段が設置される装置の電源変化、ディスクの再生または記録の記録層の変化の少なくとも１つを検出する。検出手段が、交換可能なディスクの交換を検出するとき、そのディスクの調整動作が行われて、たとえば再生が一旦行われ、その後、そのディスクがディスク装置に排出されて抜取られたか、または抜取られないままであるかを検出し、ディスクが抜取られず、したがって交換されていないときには、同一のディスクが装填されたままであるので、たとえば複数の調整手段の一部が選択され、選択された部分によってディスクの再生特性または記録特性が調整される。ディスクが抜取られて、前回と同一のディスクまたは異なるディスクが装填された後には、たとえば全ての調整手段が選択され、選択された調整手段によって前記特性が調整される。こうしてディスクが抜取られないときには、上述のように調整手段の一部が選択され、選択された部分によって前記特性が調整されるので、全ての調整手段が選択されて前記特性が調整される場合よりも、調整動作の時間の短縮を図ることができる。
【手続補正１６】
【補正対象書類名】明細書
【補正対象項目名】００１５
【補正方法】変更
【補正の内容】
【００１５】
検出手段によって、調整手段が設置される装置内の周囲温度が検出され、この検出された周囲温度が、大きく変化したことが検出されたとき、調整制御手段は、ディスクの再生または記録に先立ち、たとえば全ての調整手段を選択して調整する。このように温度変化が大きいとき、光ピックアップおよび電気回路の電気的特性などが前記周囲温度に依存して大きく変化しているおそれがあり、したがって再生および記録を確実に達成するために、このような温度変化の大きいとき、全ての調整手段を選択し、選択した調整手段に、ディスクの再生特性または記録特性を調整させ、温度変化が小さいときには、たとえば複数の調整手段の一部を選択し、選択した部分に前記特性を調整させる。これによってもまた、温度変化が小さいときに上述のように調整手段の一部が選択され、選択された部分によって前記特性が調整されるので、全ての調整手段が選択されて前記特性が調整される場合に比べて、調整動作の時間の短縮を図ることができる。
【手続補正１７】
【補正対象書類名】明細書
【補正対象項目名】００１６
【補正方法】変更
【補正の内容】
【００１６】
ディスクの再生特性または記録特性の調整後に、ディスクの再生または記録の動作を行おうとするとき、その再生または記録動作に移行できないことが検出手段によって検出されたとき、調整制御手段は、たとえば全ての調整手段を選択し、選択した調整手段に前記特性を調整させる。調整制御手段が、たとえば複数の調整手段の一部を選択し、選択した部分に前記特性の調整をさせ、その後、ディスクの再生または記録動作を行おうとするとき、その再生または記録動作への移行不能が検出された後には、調整をしなかった調整手段にも、前記特性を調整させる。こうして最適な調整結果が得られる。これによってディスクの再生または記録動作に移行することが確実になる。
【手続補正１８】
【補正対象書類名】明細書
【補正対象項目名】００１７
【補正方法】変更
【補正の内容】
【００１７】
ディスクの再生または記録動作に移行できなかったときというのは、たとえばディスクの出力データが、データ処理手段によって正しく読出すことができないとき、フォーカスサーボ系によるフォーカスサーチ動作が、再生移行中に、サーボ外れが生じてしまうとき、または再生に失敗して、繰返しリトライしても調整が完了せず、そのようなリトライ動作が予め定める時間以上長くかかるとき、またはリトライ回数が予め定める値以上になるときなどが挙げられる。再生動作の完了は、ディスクのリードイン領域におけるＴＯＣ（Table of Contents）情報の読取りが実現されたときである。
【手続補正１９】
【補正対象書類名】明細書
【補正対象項目名】００１８
【補正方法】変更
【補正の内容】
【００１８】
検出手段は、調整手段が設置される装置の電源変化、たとえば電源投入が行われたかどうかを検出し、電源遮断直前に、ディスクが抜取られておらず、ディスクの交換が行われていないことが検出されていれば、その電源投入後には、たとえば複数の調整手段の一部が選択され、選択された部分によってディスクの再生特性または記録特性が調整される。これによって電源投入後の調整時間を短縮することができる。電源遮断直前に、ディスクが抜取られていることが検出手段によって検出されていれば、その後、電源投入が検出手段によって検出されたとき、たとえば全ての調整手段が選択されて前記特性が調整される。
【手続補正２０】
【補正対象書類名】明細書
【補正対象項目名】００１９
【補正方法】変更
【補正の内容】
【００１９】
デジタルビデオディスク（ＤＶＤ）の多層ディスクは、そのディスクの厚み方向片側に複数層の記録層が形成され、たとえば２層の記録層が形成される。検出手段は、或る記録層から他の記録層に、再生されるように光ピックアップのたとえば対物レンズなどの変位がフォーカシング制御によって行われたことを検出する。前記或る記録層の光ピックアップによるフォーカシングサーボ系の合焦状態が達成されて、先ず、全ての調整手段が選択され、選択された調整手段によってディスクの再生特性または記録特性が調整される。その後、次の記録層の調整動作時には、複数の調整手段の一部が選択され、選択された部分によって前記特性が調整される。こうして複数の各記録層の変化にかかわらず、特性の変化がほとんどない調整手段では、前記他の記録層の調整動作時に、調整動作が行われることはない。こうして前記或る記録層の調整動作後に、１または複数の前記他の記録層の再生のために行われる調整動作の時間を短縮することができる。
【手続補正２１】
【補正対象書類名】明細書
【補正対象項目名】００２０
【補正方法】変更
【補正の内容】
【００２０】
また本発明は、ディスクの再生特性、または記録特性を調整する複数の調整手段に特性調整指示を出力する調整制御装置であって、
前記調整手段が設置される装置の動作状態に基づいて、前記調整手段の少なくとも一部を選択し、選択された調整手段に対して前記特性調整指示を出力することを特徴とする調整制御装置である。
【手続補正２２】
【補正対象書類名】明細書
【補正対象項目名】００２１
【補正方法】変更
【補正の内容】
【００２１】
本発明に従えば、調整手段が設置される装置の動作状態に基づいて、ディスクの再生特性または記録特性を調整する複数の調整手段の少なくとも一部を選択し、選択した調整手段に対して特性調整指示を出力する。こうして調整すべき調整手段を選択し、選択した調整手段に対して特性調整指示を出力するので、ディスクの再生または記録に先立って調整する時間を短縮することができる。
本発明は、ディスク装置だけでなく、そのほかの調整機能を有する電気的装置に関連して広範囲に実施することができる。たとえば自動車に搭載された内燃機関の運転動作を制御または故障診断する電気的装置に関連して、本発明が好適に実施される。
【手続補正２３】
【補正対象書類名】明細書
【補正対象項目名】００２３
【補正方法】変更
【補正の内容】
【００２３】
加算器８，９からの出力信号（ａ＋ｃ），（ｃ＋ｄ）は、加算器１０に与えられて出力信号（ａ＋ｂ＋ｃ＋ｄ）として、ゲインが可変である増幅器１６に与えられ、等化器１７から、マイクロコンピュータなどによって実現されるデータ処理回路１８に入力される。これによってライン１１からは、ディスク１に出力されているデジタル信号が復号化され、音響信号などのアナログ信号として導出される。デジタル処理回路１８は、データ処理手段に相当し、調整手段として機能する。
【手続補正２４】
【補正対象書類名】明細書
【補正対象項目名】００２４
【補正方法】変更
【補正の内容】
【００２４】
増幅器４〜７からの出力信号ａ〜ｄはまた、フォーカシング検出手段に相当するフォーカシングエラー検出回路２０に与えられる。フォーカシングエラー検出回路２０は、調整手段として機能する。増幅器５，６の出力信号ｂ，ｃは加算器２１に与えられ、増幅器４，７の出力信号ａ，ｄは加算器２２に与えられる。加算器２１，２２からの出力信号は、ゲインがそれぞれ可変である増幅器２３，２４に与えられる。これらの増幅器２３，２４の出力は、減算器２５に与えられる。
【手続補正２５】
【補正対象書類名】明細書
【補正対象項目名】００２６
【補正方法】変更
【補正の内容】
【００２６】
加算器８，９の出力信号（ａ＋ｃ），（ｂ＋ｄ）はまた、トラッキングエラー検出手段に相当するトラッキングエラー検出回路３０のゲインが可変である増幅器３２，３３に与えられる。これらの増幅器３２，３３の出力は減算器３４に与えられる。トラッキングエラー検出回路３０は、調整手段として機能する。
【手続補正２６】
【補正対象書類名】明細書
【補正対象項目名】００２７
【補正方法】変更
【補正の内容】
【００２７】
減算器３４の出力は、ゲインが可変である増幅器３５に与えられ、さらに等化器３６に与えられる。増幅器３５の出力によって、信号（ａ＋ｃ），（ｂ＋ｄ）の相対的な位相を有する出力が与えられ、この位相差が、等化器３６に与えられ、この位相差は、トラッキングエラーに対応している。等化器３６の出力は駆動回路４２に与えられる。これによってアクチュエータコイル４３が駆動されて、光ピックアップ２がディスク１とは平行に、かつ後述するトラック７０とは垂直な方向に変位され、こうしてトラッキングサーボが実現される。サーボ制御回路３１において、増幅器２６と等化器２９とは、フォーカシングサーボ系を構成し、増幅器３５と等化器３６とはトラッキングサーボ系を構成する。増幅器２６および等化器２９は、フォーカシング制御手段に相当し、調整手段として機能する。増幅器３５および等化器３６は、トラッキング制御手段に相当し、調整手段として機能する。
【手続補正２７】
【補正対象書類名】明細書
【補正対象項目名】００２８
【補正方法】変更
【補正の内容】
【００２８】
サーボ制御回路３１は、マイクロコンピュータなどによって実現される処理回路１２を備え、これによって増幅器２６，３５のサーボ制御が行われるとともに、等化器２９，３６の制御が行われる。ディスク１のトラック７０が、矢符７１方向に走行すると、この走行方向７１上流側に配置された受光部分Ａ，Ｄによって、先ずトラック７０の反射光が検出される。このときトラック７０が受光部分Ｃ，Ｄ側にずれていると、反射率の低いピット７２が受光部分Ａ，Ｄにさしかかったとき、受光部分Ｄの受光量よりも受光部分Ａの受光量の方が大きく、またピット７２が受光部分Ａ，Ｄを通過して受光部分Ｂ，Ｃにさしかかったときには、受光部分Ｃの受光量よりも受光部分Ｂの受光量が大きくなる。このようなトラック７０のずれ量に対応して、光ピックアップ２のトラッキングサーボ動作を行うことができる。こうしてフォーカシングサーボが実現された後、トラッキングサーボが実現され、ディスク１のデータの再生が行われる。
【手続補正２８】
【補正対象書類名】明細書
【補正対象項目名】００２９
【補正方法】変更
【補正の内容】
【００２９】
光ピックアップ２は、駆動手段１５によってディスク１の半径方向に往復移動される。ディスク１は、その軸線まわりに回転駆動手段１３によって回転駆動される。ディスク１が本件ディスク再生装置の挿排口に装着されているかどうかは、挿排検出手段３７によって検出される。挿排検出手段３７は、検出手段として機能する。
【手続補正２９】
【補正対象書類名】明細書
【補正対象項目名】００３０
【補正方法】変更
【補正の内容】
【００３０】
マイクロコンピュータなどによって実現される処理回路５３は、増幅器４〜７の出力に応答し、フォーカシングエラー検出回路２０およびトラッキングエラー検出回路３０にそれぞれ備えられている増幅器２３，２４；３２，３３のゲインをディスク１の種類に対応するなどして、個別的に変化調整するとともに、サーボ制御回路３１に備えられているフォーカシングサーボ系の増幅器２６およびトラッキングサーボ系の増幅器３５のゲインをそれぞれ変化して調整することができる。このサーボ制御回路３１に備えられている処理回路１２は、処理回路５３および各回路２０，３０の出力に応答し、増幅器２３，２４のゲインのバランスを制御するとともに、増幅器３２，３３のゲインのバランスを制御する。処理回路１２は、調整制御手段として機能する。処理回路５３は、検出手段および調整制御手段として機能する。また処理回路５３は、調整制御装置として機能する。
【手続補正３０】
【補正対象書類名】明細書
【補正対象項目名】００３１
【補正方法】変更
【補正の内容】
【００３１】
処理回路５３には、メモリ手段５５が備えられる。メモリ手段５５は、個別的なメモリＭ１〜Ｍ３を備える。温度検出素子５７は、本件ディスク再生装置の周囲温度を検出し、その検出温度Ｔを表す信号を、処理回路５３に与える。温度検出素子５７は、たとえばディスク再生装置のハウジング内に設けられ、各種の調整部分付近の温度を検出する。温度検出素子５７は、検出手段として機能する。
【手続補正３１】
【補正対象書類名】明細書
【補正対象項目名】００５０
【補正方法】変更
【補正の内容】
【００５０】
【発明の効果】
請求項１の本発明によれば、検出手段の検出結果に基づいて、複数の調整手段の少なくとも一部が選択され、選択された部分によってディスクの再生特性または記録特性が調整され、したがってディスクの再生または記録に先立って調整する時間を短縮することができる。これによってユーザの待ち時間を短縮し、使い勝手が向上される。
【手続補正３２】
【補正対象書類名】明細書
【補正対象項目名】００５１
【補正方法】変更
【補正の内容】
【００５１】
請求項２の本発明によれば、複数の調整手段に含まれるフォーカシングエラー検出手段、フォーカシング制御手段、トラッキングエラー検出手段、トラッキング制御手段、データ処理手段の少なくとも一部が選択され、選択された部分によってディスクの再生特性または記録特性が調整され、したがってディスクの再生または記録に先立って調整する時間を短縮することができる。
【手続補正３３】
【補正対象書類名】明細書
【補正対象項目名】００５２
【補正方法】変更
【補正の内容】
【００５２】
請求項３の本発明によれば、検出手段によってディスクの交換が検出され、ディスクが抜取られず、交換されていないときには、調整手段の一部が選択され、選択された部分によってディスクの再生特性または記録特性が調整されるので、全ての調整手段が選択されて前記特性が調整される場合よりも、調整動作の時間の短縮を図ることができる。
また調整手段が設置される装置内の周囲温度が検出手段によって検出され、この検出された周囲温度の変化が小さいときには、調整手段の一部が選択され、選択された部分によって前記特性が調整されるので、全ての調整手段が選択されて前記特性が調整される場合に比べて、調整動作の時間の短縮を図ることができる。
またディスクの再生特性または記録特性の調整後に、ディスクの再生または記録動作に移行できないことが検出手段によって検出されたとき、調整制御手段は、たとえば全ての調整手段を選択し、選択した調整手段に前記特性を調整させる。また調整制御手段が複数の調整手段の一部を選択し、選択した部分に前記特性の調整をさせ、その後、ディスクの再生または記録動作に移行できないことが検出手段によって検出されたときには、調整をしなかった調整手段にも、前記特性を調整させるので、最適な調整結果が得られ、ディスクの再生または記録動作に移行することが確実になる。
また調整手段が設置される装置の電源変化が検出手段によって検出されるとき、電源遮断直前に、ディスクが抜取られておらず、ディスクの交換が行われていないことが検出されていれば、その電源投入後には、たとえば複数の調整手段の一部が選択され、選択された部分によってディスクの再生特性または記録特性が調整されるので、電源投入後の調整時間を短縮することができる。
また検出手段によってディスクの再生または記録の記録層の変化が検出されるとき、或る記録層から他の記録層への変化にかかわらず、特性の変化がほとんどない調整手段では、前記他の記録層の調整動作時に、調整動作が行われないので、前記或る記録層の調整動作後に、１または複数の前記他の記録層の再生のために行われる調整動作の時間を短縮することができる。
【手続補正３４】
【補正対象書類名】明細書
【補正対象項目名】００５３
【補正方法】変更
【補正の内容】
【００５３】
請求項４の本発明によれば、調整手段が設置される装置の動作状態に基づいて、ディスクの再生特性または記録特性を調整する複数の調整手段の少なくとも一部が選択され、選択された部分に対して特性調整指示が出力される。したがってディスクの再生または記録に先立って調整する時間を短縮することができる。
【手続補正３５】
【補正対象書類名】明細書
【補正対象項目名】００５４
【補正方法】削除
【補正の内容】